(57)【要約】【課題】  アンケートに対する回答の回収率を向上することができるアンケート支援システムおよびアンケート支援プログラムを提供する。【解決手段】  アンケート支援システムは、特定の範囲外に出たことが検出される（Ｓ２３２でＹＥＳ）とともに、アンケートに対する回答が受け付けられていない（Ｓ２３３でＮＯ）利用者に対応付けて登録されている送信先に、回答を催促する催促通知をインターネット経由で送信する（Ｓ２３４）ことを特徴とする。【選択図】  図１１
2016045904.tif 000002
【特許請求の範囲】
【請求項１】
利用者と、利用者に対する電子データの送信先とを対応付けて登録する利用者登録手段と、
前記利用者登録手段によって登録されている利用者が特定の範囲外に出たことを検出する出検出手段と、
前記利用者登録手段によって登録されている利用者からアンケートに対する回答を受け付ける回答受け付け手段と、
前記回答受け付け手段によって前記回答が受け付けられていない利用者に前記回答を催促する催促通知をインターネット経由で送信する催促通知送信手段とを備え、
前記催促通知送信手段は、前記範囲外に出たことが前記出検出手段によって検出された利用者に対応付けて前記利用者登録手段によって登録されている送信先に前記催促通知を送信することを特徴とするアンケート支援システム。
【請求項２】
前記催促通知は、前記回答を催促する対象のアンケートを含み、
前記回答受け付け手段は、前記催促通知に含まれるアンケートに対する前記回答をインターネット経由で受け付けることを特徴とする請求項１に記載のアンケート支援システム。
【請求項３】
前記催促通知送信手段は、特定の時刻を経過している場合に、前記範囲外に出たことが前記出検出手段によって検出された利用者に対応付けて前記利用者登録手段によって登録されている送信先に前記催促通知を送信することを特徴とする請求項１または請求項２に記載のアンケート支援システム。
【請求項４】
前記利用者登録手段によって登録されている利用者が前記範囲内に入ったことを検出する入検出手段と、
利用者のためにアンケートを用意するアンケート用意手段とを備え、
前記アンケート用意手段は、利用者が前記範囲内に入ったことが前記入検出手段によって検出された場合に、印刷デバイスによってアンケートを印刷することを特徴とする請求項１から請求項３までの何れかに記載のアンケート支援システム。
【請求項５】
前記利用者登録手段は、利用者に対応付けて印刷設定を登録し、
前記アンケート用意手段は、前記範囲内に入ったことが前記入検出手段によって検出された利用者に対応付けて前記利用者登録手段によって登録されている印刷設定でアンケートを印刷することを特徴とする請求項４に記載のアンケート支援システム。
【請求項６】
前記利用者登録手段は、アンケートの配布方法として印刷物および電子データの少なくとも一方を利用者に対応付けて登録し、
前記アンケート用意手段は、前記範囲内に入ったことが前記入検出手段によって検出された利用者に対応付けて前記利用者登録手段によって登録されている配布方法が電子データである場合に、アンケートを電子データで配布することを特徴とする請求項４または請求項５に記載のアンケート支援システム。
【請求項７】
利用者と、利用者に対する電子データの送信先とを対応付けて登録する利用者登録手段、
前記利用者登録手段によって登録されている利用者が特定の範囲外に出たことを検出する出検出手段、
前記利用者登録手段によって登録されている利用者からアンケートに対する回答を受け付ける回答受け付け手段、および、
前記回答受け付け手段によって前記回答が受け付けられていない利用者に前記回答を催促する催促通知をインターネット経由で送信する催促通知送信手段としてコンピューターを機能させ、
前記催促通知送信手段は、前記範囲外に出たことが前記出検出手段によって検出された利用者に対応付けて前記利用者登録手段によって登録されている送信先に前記催促通知を送信することを特徴とするアンケート支援プログラム。
【発明の詳細な説明】
【技術分野】
【０００１】
本発明は、アンケートの実施を支援するアンケート支援システムおよびアンケート支援プログラムに関する。
【背景技術】
【０００２】
従来、アンケートの印刷物にクーポンを付けることによって、アンケートに対する回答を利用者が自発的に提出する動機付けをするアンケート支援システムが知られている（特許文献１参照。）。
【先行技術文献】
【特許文献】
【０００３】
【特許文献１】特開２００３−７６８３２号公報
【発明の概要】
【発明が解決しようとする課題】
【０００４】
しかしながら、従来のアンケート支援システムにおいては、あくまで利用者による自発的な提出を待つのみであるので、例えばクーポンに興味が無い利用者からアンケートに対する回答を回収することは容易ではないという問題がある。
【０００５】
そこで、本発明は、アンケートに対する回答の回収率を向上することができるアンケート支援システムおよびアンケート支援プログラムを提供することを目的とする。
【課題を解決するための手段】
【０００６】
本発明のアンケート支援システムは、利用者と、利用者に対する電子データの送信先とを対応付けて登録する利用者登録手段と、前記利用者登録手段によって登録されている利用者が特定の範囲外に出たことを検出する出検出手段と、前記利用者登録手段によって登録されている利用者からアンケートに対する回答を受け付ける回答受け付け手段と、前記回答受け付け手段によって前記回答が受け付けられていない利用者に前記回答を催促する催促通知をインターネット経由で送信する催促通知送信手段とを備え、前記催促通知送信手段は、前記範囲外に出たことが前記出検出手段によって検出された利用者に対応付けて前記利用者登録手段によって登録されている送信先に前記催促通知を送信することを特徴とする。
【０００７】
この構成により、本発明のアンケート支援システムは、特定の範囲外に出ていてアンケートに対する回答が受け付けられていない利用者にインターネット経由で回答を催促するので、回答の回収率を向上することができる。
【０００８】
また、本発明のアンケート支援システムにおいて、前記催促通知は、前記回答を催促する対象のアンケートを含み、前記回答受け付け手段は、前記催促通知に含まれるアンケートに対する前記回答をインターネット経由で受け付けても良い。
【０００９】
この構成により、本発明のアンケート支援システムは、アンケートに対する回答をインターネット経由で受け付けるので、特定の範囲外に出ている利用者が特定の範囲内に戻らなくても回答を提出することが可能であり、回答の回収率を向上することができる。
【００１０】
また、本発明のアンケート支援システムにおいて、前記催促通知送信手段は、特定の時刻を経過している場合に、前記範囲外に出たことが前記出検出手段によって検出された利用者に対応付けて前記利用者登録手段によって登録されている送信先に、前記催促通知を送信しても良い。
【００１１】
この構成により、本発明のアンケート支援システムは、特定の時刻を経過する前に一時的に特定の範囲外に出ただけの利用者にアンケートに対する回答を催促することを防止することができるので、利便性を向上することができる。
【００１２】
また、本発明のアンケート支援システムは、前記利用者登録手段によって登録されている利用者が前記範囲内に入ったことを検出する入検出手段と、利用者のためにアンケートを用意するアンケート用意手段とを備え、前記アンケート用意手段は、利用者が前記範囲内に入ったことが前記入検出手段によって検出された場合に、印刷デバイスによってアンケートを印刷しても良い。
【００１３】
この構成により、本発明のアンケート支援システムは、利用者が特定の範囲内に入った場合にアンケートを印刷するので、アンケートの印刷物の不必要な生成を抑えることができる。
【００１４】
また、本発明のアンケート支援システムにおいて、前記利用者登録手段は、利用者に対応付けて印刷設定を登録し、前記アンケート用意手段は、前記範囲内に入ったことが前記入検出手段によって検出された利用者に対応付けて前記利用者登録手段によって登録されている印刷設定でアンケートを印刷しても良い。
【００１５】
この構成により、本発明のアンケート支援システムは、利用者に対応付けられた印刷設定でアンケートの印刷物を生成するので、利用者に適した印刷物を提供することができる。
【００１６】
また、本発明のアンケート支援システムにおいて、前記利用者登録手段は、アンケートの配布方法として印刷物および電子データの少なくとも一方を利用者に対応付けて登録し、前記アンケート用意手段は、前記範囲内に入ったことが前記入検出手段によって検出された利用者に対応付けて前記利用者登録手段によって登録されている配布方法が電子データである場合に、アンケートを電子データで配布しても良い。
【００１７】
この構成により、本発明のアンケート支援システムは、利用者が印刷物によるアンケートを必要としない場合に、印刷物によるアンケートを配布しないので、利用者全員に印刷物によるアンケートを配布する構成と比較して、記録媒体の無駄な消費を抑えることができる。
【００１８】
本発明のアンケート支援プログラムは、利用者と、利用者に対する電子データの送信先とを対応付けて登録する利用者登録手段、前記利用者登録手段によって登録されている利用者が特定の範囲外に出たことを検出する出検出手段、前記利用者登録手段によって登録されている利用者からアンケートに対する回答を受け付ける回答受け付け手段、および、前記回答受け付け手段によって前記回答が受け付けられていない利用者に前記回答を催促する催促通知をインターネット経由で送信する催促通知送信手段としてコンピューターを機能させ、前記催促通知送信手段は、前記範囲外に出たことが前記出検出手段によって検出された利用者に対応付けて前記利用者登録手段によって登録されている送信先に前記催促通知を送信することを特徴とする。
【００１９】
この構成により、本発明のアンケート支援プログラムは、特定の範囲外に出ていてアンケートに対する回答が受け付けられていない利用者にインターネット経由で回答を催促するので、回答の回収率を向上することができる。
【発明の効果】
【００２０】
本発明のアンケート支援システムおよびアンケート支援プログラムは、アンケートに対する回答の回収率を向上することができる。
【図面の簡単な説明】
【００２１】
【図１】本発明の一実施の形態に係るアンケート支援システムのブロック図である。
【図２】図１に示すサーバーのブロック図である。
【図３】図２に示す参加予定者リストの一例を示す図である。
【図４】図１に示すＭＦＰのブロック図である。
【図５】図１に示す携帯機器のブロック図である。
【図６】会場の予約を受け付ける場合の図２に示すサーバーの動作のフローチャートである。
【図７】配布資料データおよびアンケートデータを記憶部に記憶させる場合の図２に示すサーバーの動作のフローチャートである。
【図８】図５に示す携帯機器の表示部に表示される参加申し込み画面の一例を示す図である。
【図９】参加予定者に配布資料およびアンケートを配布する場合の図２に示すサーバーの動作のフローチャートである。
【図１０】アンケートを回収する場合の図２に示すサーバーの動作のフローチャートである。
【図１１】アンケートに対する回答を催促する場合の図２に示すサーバーの動作のフローチャートである。
【発明を実施するための形態】
【００２２】
以下、本発明の一実施の形態について、図面を用いて説明する。
【００２３】
まず、本実施の形態に係るアンケート支援システムの構成について説明する。
【００２４】
図１は、本実施の形態に係るアンケート支援システム１０のブロック図である。
【００２５】
図１に示すように、アンケート支援システム１０は、サーバー２０と、画像形成装置としてのＭＦＰ（Ｍｕｌｔｉｆｕｎｃｔｉｏｎ  Ｐｅｒｉｐｈｅｒａｌ）３０とを備えている。ＭＦＰ３０は、イベントの会場内、または、会場の近傍に設置されている。
【００２６】
アンケート支援システム１０の利用者、すなわち、イベントの参加者は、それぞれ携帯機器４０を携帯している。
【００２７】
サーバー２０と、ＭＦＰ３０と、イベントの参加者がそれぞれ携帯している携帯機器４０とは、インターネット１１を介して互いに通信可能に接続されている。
【００２８】
図２は、サーバー２０のブロック図である。
【００２９】
図２に示すように、サーバー２０は、種々の操作が入力されるマウスやキーボードなどの入力デバイスである操作部２１と、種々の情報を表示するＬＣＤ（Ｌｉｑｕｉｄ  Ｃｒｙｓｔａｌ  Ｄｉｓｐｌａｙ）などの表示デバイスである表示部２２と、インターネット１１（図１参照。）経由で外部の装置と通信を行うネットワーク通信デバイスであるネットワーク通信部２３と、プログラムおよび各種のデータを記憶しているＨＤＤ（Ｈａｒｄ  Ｄｉｓｋ  Ｄｒｉｖｅ）などの不揮発性の記憶装置である記憶部２４と、サーバー２０全体を制御する制御部２５とを備えている。サーバー２０は、例えばＰＣ（Ｐｅｒｓｏｎａｌ  Ｃｏｍｐｕｔｅｒ）などのコンピューターによって構成されている。
【００３０】
記憶部２４は、アンケートの実施を支援するためのアンケート支援プログラム２４ａを記憶している。アンケート支援プログラム２４ａは、サーバー２０の製造段階でサーバー２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）などの記憶媒体からサーバー２０に追加でインストールされても良いし、インターネット１１上からサーバー２０に追加でインストールされても良い。
【００３１】
記憶部２４は、イベントの会場の予約状況を示す会場予約情報２４ｂを記憶する。ここで、会場の予約状況とは、例えば、会場の予約が入っている日時と、その日時に開催されるイベントのタイトルとを含んでいる。
【００３２】
記憶部２４は、イベントの参加者に配布されるための配布資料のデータ（以下「配布資料データ」と言う。）２４ｃと、イベントの参加者に配布されるためのアンケートのデータ（以下「アンケートデータ」と言う。）２４ｄとを記憶する。記憶部２４は、配布資料データ２４ｃおよびアンケートデータ２４ｄをイベント毎に記憶する。
【００３３】
記憶部２４は、特定の範囲（以下「特定範囲」と言う。）を示す特定範囲情報２４ｅを記憶する。記憶部２４は、特定範囲情報２４ｅをイベント毎に記憶する。
【００３４】
記憶部２４は、イベントの参加予定者の一覧を示す参加予定者リスト２４ｆを記憶する。記憶部２４は、参加予定者リスト２４ｆをイベント毎に記憶する。
【００３５】
図３は、参加予定者リスト２４ｆの一例を示す図である。
【００３６】
図３に示す参加予定者リスト２４ｆは、参加予定者名を示す「参加予定者名」欄と、配布資料およびアンケート（以下「アンケート等」と言う。）を紙（印刷物）で受け取るか否かを示す「紙」欄と、アンケート等を紙で受け取る場合のアンケート等に対する印刷設定を示す「印刷設定」欄と、アンケート等を電子データ、すなわち、電子メールで受け取るか否かを示す「電子メール」欄と、アンケート等を電子メールで受け取る場合の参加予定者に対する電子メールの送信先、すなわち、電子メールアドレスを示す「電子メールアドレス」欄と、アンケートに対する回答の回収状況を示す「アンケート回収状況」欄とを含む。「印刷設定」欄は、両面印刷をするか否かを示す「両面」欄と、２ページ分の画像を１ページに集約するか否かを示す「集約（2 in 1）」欄と、カラーで印刷するか否かを示す「カラー」欄と、印刷時の文字の大きさを示す「文字」欄とを含む。「文字」欄は、標準より大きい文字の大きさを示す「大」と、標準の文字の大きさを示す「標準」と、標準より小さい文字の大きさを示す「小」との何れかの値を示す。
【００３７】
図２に示す制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００３８】
制御部２５は、記憶部２４に記憶されているアンケート支援プログラム２４ａを実行することによって、イベントの参加予定者、すなわち、アンケート支援システム１０（図１参照。）の利用者を登録する利用者登録手段２５ａ、利用者が特定範囲内に入ったことを検出する入検出手段２５ｂ、利用者が特定範囲外に出たことを検出する出検出手段２５ｃ、利用者のためにアンケートを用意するアンケート用意手段２５ｄ、利用者からアンケートに対する回答を受け付ける回答受け付け手段２５ｅ、および、回答を催促する電子メールとしての催促通知を送信する催促通知送信手段２５ｆとして機能する。
【００３９】
図４は、ＭＦＰ３０のブロック図である。
【００４０】
図４に示すように、ＭＦＰ３０は、種々の操作が入力されるボタンなどの入力デバイスである操作部３１と、種々の情報を表示するＬＣＤなどの表示デバイスである表示部３２と、原稿から画像を読み取る読取デバイスであるスキャナー３３と、用紙などの記録媒体に印刷を実行する印刷デバイスであるプリンター３４と、図示していない外部のファクシミリ装置と公衆電話回線などの通信回線経由でファックス通信を行うファックスデバイスであるファックス通信部３５と、インターネット１１（図１参照。）経由で外部の装置と通信を行うネットワーク通信デバイスであるネットワーク通信部３６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤなどの不揮発性の記憶装置である記憶部３７と、ＭＦＰ３０全体を制御する制御部３８とを備えている。
【００４１】
制御部３８は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３７に記憶されているプログラムを実行する。
【００４２】
図５は、携帯機器４０のブロック図である。
【００４３】
図５に示すように、携帯機器４０は、種々の操作が入力されるボタンなどの入力デバイスである操作部４１と、種々の情報を表示するＬＣＤなどの表示デバイスである表示部４２と、携帯機器４０の位置情報を取得する例えばＧＰＳ（Ｇｌｏｂａｌ  Ｐｏｓｉｔｉｏｎｉｎｇ  Ｓｙｓｔｅｍ）受信機などの位置情報取得部４３と、インターネット１１（図１参照。）経由で外部の装置と通信を行うネットワーク通信デバイスであるネットワーク通信部４４と、プログラムおよび各種のデータを記憶しているＨＤＤなどの不揮発性の記憶装置である記憶部４５と、携帯機器４０全体を制御する制御部４６とを備えている。携帯機器４０は、例えばスマートフォン、タブレットなどの電子機器によって構成されている。
【００４４】
制御部４６は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部４５に記憶されているプログラムを実行する。
【００４５】
次に、アンケート支援システム１０の動作について説明する。
【００４６】
まず、イベントの運営者が会場を予約する場合のアンケート支援システム１０の動作について説明する。
【００４７】
運営者が会場の予約の処理の開始をサーバー２０の操作部２１を介して指示すると、サーバー２０の制御部２５は、図６に示す動作を実行する。
【００４８】
図６は、会場の予約を受け付ける場合のサーバー２０の動作のフローチャートである。
【００４９】
図６に示すように、制御部２５は、記憶部２４上の会場予約情報２４ｂに基づいた会場の予約状況を表示部２２に表示する（Ｓ１０１）。したがって、運営者は、表示部２２に表示される会場の予約状況を確認して、会場の空き時間を認識することができる。
【００５０】
次いで、制御部２５は、会場の空き時間のうち何れかの時間に会場の予約が操作部２１を介して指示されたと判断するまで、会場の空き時間のうち何れかの時間に会場の予約が指示されたか否かを判断する（Ｓ１０２）。
【００５１】
制御部２５は、会場の空き時間のうち何れかの時間に会場の予約が指示されたとＳ１０２において判断すると、指示された予約に基づいて記憶部２４上の会場予約情報２４ｂを更新し（Ｓ１０３）、図６に示す動作を終了する。
【００５２】
次に、運営者が配布資料データ２４ｃおよびアンケートデータ２４ｄを記憶部２４に記憶させる場合のアンケート支援システム１０の動作について説明する。
【００５３】
運営者が配布資料データ２４ｃおよびアンケートデータ２４ｄの記憶をサーバー２０の操作部２１を介して指示すると、サーバー２０の制御部２５は、図７に示す動作を実行する。
【００５４】
図７は、配布資料データ２４ｃおよびアンケートデータ２４ｄを記憶部２４に記憶させる場合のサーバー２０の動作のフローチャートである。
【００５５】
図７に示すように、サーバー２０の制御部２５は、運営者によって例えばＵＳＢ（Ｕｎｉｖｅｒｓａｌ  Ｓｅｒｉａｌ  Ｂｕｓ）メモリーなどの記憶媒体やネットワークを介して入力された配布資料データおよびアンケートデータを記憶部２４に配布資料データ２４ｃおよびアンケートデータ２４ｄとして記憶させる（Ｓ１３１）。
【００５６】
次いで、制御部２５は、配布資料データ２４ｃおよびアンケートデータ２４ｄの内容に基づいて、ＭＦＰ３０によるアンケート等の印刷の所要時間を算出する（Ｓ１３２）。例えば、制御部２５は、アンケート等のページ数や、アンケート等に含まれる図形などのオブジェクトの数に基づいて、ＭＦＰ３０によるアンケート等の印刷の所要時間を算出しても良い。また、制御部２５は、ＭＦＰ３０によるアンケート等の印刷の所要時間を算出する場合に、ＭＦＰ３０の印刷能力にも基づいても良い。
【００５７】
次いで、制御部２５は、Ｓ１３２において算出した所要時間で参加者が移動すると予想される距離、すなわち、Ｓ１３２において算出した所要時間と、参加者の移動速度として事前に設定されていた速度との積を算出する（Ｓ１３３）。
【００５８】
次いで、制御部２５は、Ｓ１３３において算出した距離だけ会場から離れた位置で囲まれる範囲を特定範囲として特定範囲情報２４ｅを生成して（Ｓ１３４）、図７に示す動作を終了する。
【００５９】
次に、イベントへの参加希望者がイベントへの参加を申し込む場合のアンケート支援システム１０の動作について説明する。
【００６０】
イベントへの参加を申し込むウェブサイト（以下「参加申し込みサイト」と言う。）に参加希望者が携帯機器４０を介してアクセスすると、携帯機器４０の表示部４２には、図８に示す参加申し込み画面５０が表示される。なお、参加申し込みサイトは、サーバー２０の制御部２５の利用者登録手段２５ａによって提供される。
【００６１】
図８は、携帯機器４０の表示部４２に表示される参加申し込み画面５０の一例を示す図である。
【００６２】
図８に示す参加申し込み画面５０は、イベントの参加希望者名を入力するためのテキストボックス５１と、アンケート等の受け取り方法を選択するためのラジオボタン５２と、アンケート等を紙で受け取る場合のアンケート等に対する印刷設定を入力するための印刷設定入力領域５３と、アンケート等や各種の通知を電子メールで受け取るための電子メールアドレスを入力するためのテキストボックス５４と、イベントへの参加を申し込むためのOKボタン５５と、イベントへの参加の申し込みを中止するためのCancelボタン５６とを含む。
【００６３】
ラジオボタン５２は、アンケート等を紙と、電子メールとの両方で受け取る「紙および電子メール」と、アンケート等を紙のみで受け取る「紙のみ」と、アンケート等を電子メールのみで受け取る「電子メールのみ」との何れか１つのみが選択されることが可能である。
【００６４】
印刷設定入力領域５３は、ラジオボタン５２が「電子メールのみ」を示している場合にはグレーアウトされる。印刷設定入力領域５３は、両面印刷をするか否かを設定するためのチェックボックス５３ａと、２ページ分の画像を１ページに集約するか否かを設定するためのチェックボックス５３ｂと、カラーで印刷するか否かを設定するためのチェックボックス５３ｃと、印刷時の文字の大きさを設定するためのラジオボタン５３ｄとを含む。ラジオボタン５３ｄは、標準より大きい文字の大きさを示す「大」と、標準の文字の大きさを示す「標準」と、標準より小さい文字の大きさを示す「小」との何れか１つのみが選択されることが可能である。
【００６５】
OKボタン５５は、テキストボックス５１およびテキストボックス５４の何れかに何も入力されていないときにはグレーアウトされる。
【００６６】
携帯機器４０の操作部４１を介してOKボタン５５が押されると、その時点で参加申し込み画面５０に入力されていた内容を示す情報（以下「申し込み情報」と言う。）がサーバー２０に送信される。
【００６７】
したがって、サーバー２０の利用者登録手段２５ａは、申し込み情報をネットワーク通信部２３を介して受信すると、受信した申し込み情報に基づいて記憶部２４上の参加予定者リスト２４ｆを更新する。すなわち、利用者登録手段２５ａは、ネットワーク通信部２３を介して受信した申し込み情報に含まれている参加希望者の情報を、新たな参加予定者の情報として参加予定者リスト２４ｆに登録する。
【００６８】
なお、以上においては、参加希望者が携帯機器４０を介して参加申し込みサイトにアクセスする例について説明しているが、参加希望者は、携帯機器４０以外のコンピューターを介して参加申し込みサイトにアクセスしても良い。
【００６９】
また、参加希望者は、参加申し込みサイトではなく、例えば電子メール、電話などの方法によって申し込み情報を運営者に伝えることによって、イベントへの参加を申し込んでも良い。運営者は、参加希望者から伝えられた申し込み情報に基づいて、サーバー２０の操作部２１を介して新たな参加予定者の情報の登録を指示する。したがって、サーバー２０の利用者登録手段２５ａは、操作部２１を介した指示に応じて、新たな参加予定者の情報を参加予定者リスト２４ｆに登録する。
【００７０】
次に、参加予定者にアンケート等を配布する場合のアンケート支援システム１０の動作について説明する。
【００７１】
サーバー２０の制御部２５は、定期的に図９に示す動作を実行する。
【００７２】
図９は、参加予定者にアンケート等を配布する場合のサーバー２０の動作のフローチャートである。
【００７３】
図９に示すように、制御部２５の入検出手段２５ｂは、参加予定者リスト２４ｆに登録されている参加予定者の位置情報をネットワーク通信部２３を介して受信したか否かを判断する（Ｓ１６１）。ここで、参加予定者が携帯している携帯機器４０は、「携帯機器４０自身の位置情報を取得して、取得した位置情報を、携帯機器４０自身を携帯している参加予定者の識別情報とともに、インターネット１１を介してＭＦＰ３０に送信する」という動作を定期的に実行している。そして、ＭＦＰ３０は、携帯機器４０から受信した位置情報と、参加予定者の識別情報との組み合わせを、インターネット１１を介してサーバー２０に送信する。したがって、サーバー２０の入検出手段２５ｂは、ネットワーク通信部２３を介して位置情報とともに受信した識別情報が参加予定者リスト２４ｆに記憶されている場合に、参加予定者リスト２４ｆに登録されている参加予定者の位置情報を受信したと判断することができる。なお、この識別情報は、参加予定者名であっても良いし、参加予定者名以外の識別情報であっても良い。
【００７４】
入検出手段２５ｂは、参加予定者の位置情報を受信したとＳ１６１において判断すると、この参加予定者（以下「対象参加予定者」と言う。）が特定範囲情報２４ｅに示されている特定範囲内に入ったか否かを、対象参加予定者の位置情報に基づいて判断する（Ｓ１６２）。
【００７５】
制御部２５は、対象参加予定者が特定範囲内に入ったとＳ１６２において判断されると、対象参加予定者がアンケート等を紙で受け取ることを希望しているか否かを判断する（Ｓ１６３）。ここで、制御部２５は、参加予定者リスト２４ｆにおいて対象参加予定者に対応付けられている「紙」欄の値がアンケート等を紙で受け取ることを示している場合に、対象参加予定者がアンケート等を紙で受け取ることを希望していると判断する。
【００７６】
制御部２５は、紙で受け取ることを希望しているとＳ１６３において判断すると、現時点が、対象参加予定者が参加する予定のイベントの直前のイベントによる会場の使用時間の終了後であるか否かを、会場予約情報２４ｂに基づいて判断する（Ｓ１６４）。
【００７７】
制御部２５は、直前のイベントによる会場の使用時間の終了後であるとＳ１６４において判断すると、参加予定者リスト２４ｆにおいて対象参加予定者に対応付けられている「印刷設定」欄に示されている印刷設定で、配布資料データ２４ｃに基づいて配布資料をＭＦＰ３０に印刷させる（Ｓ１６５）。すなわち、制御部２５は、参加予定者リスト２４ｆにおいて対象参加予定者に対応付けられている「印刷設定」欄に示されている印刷設定での配布資料の印刷データをネットワーク通信部２３を介してＭＦＰ３０に送信する。そして、ＭＦＰ３０の制御部３８は、この印刷データをネットワーク通信部３６を介して受信すると、この印刷データに基づいてプリンター３４に印刷を実行させる。ここで、サーバー２０の制御部２５は、参加予定者の識別情報、例えば、参加予定者名を配布資料に含めて印刷させれば、配布資料の印刷物に参加予定者の識別情報が印刷されるので、参加予定者に適した印刷物をイベントの運営者が適切な参加予定者に配布することを容易化することができる。
【００７８】
アンケート用意手段２５ｄは、Ｓ１６５の処理の後、参加予定者リスト２４ｆにおいて対象参加予定者に対応付けられている「印刷設定」欄に示されている印刷設定で、アンケートデータ２４ｄに基づいてアンケートをＭＦＰ３０に印刷させる（Ｓ１６６）。すなわち、アンケート用意手段２５ｄは、参加予定者リスト２４ｆにおいて対象参加予定者に対応付けられている「印刷設定」欄に示されている印刷設定でのアンケートの印刷データをネットワーク通信部２３を介してＭＦＰ３０に送信する。そして、ＭＦＰ３０の制御部３８は、この印刷データをネットワーク通信部３６を介して受信すると、この印刷データに基づいてプリンター３４に印刷を実行させる。ここで、サーバー２０のアンケート用意手段２５ｄは、参加予定者の識別情報、例えば、参加予定者名をアンケートに含めて印刷させれば、アンケートの印刷物に参加予定者の識別情報が印刷されるので、参加予定者に適した印刷物をイベントの運営者が適切な参加予定者に配布することを容易化することができる。
【００７９】
なお、アンケートの印刷物が配布された参加者は、アンケートに対する回答をアンケートの印刷物に書き込んだ後、回答を書き込んだ印刷物を例えばイベントの終了時に運営者に渡すことができる。
【００８０】
制御部２５は、紙で受け取ることを希望していないとＳ１６３において判断するか、直前のイベントによる会場の使用時間の終了後ではないとＳ１６４において判断されるか、Ｓ１６６の処理が終了すると、対象参加予定者がアンケート等を電子メールで受け取ることを希望しているか否かを判断する（Ｓ１６７）。ここで、制御部２５は、参加予定者リスト２４ｆにおいて対象参加予定者に対応付けられている「電子メール」欄の値がアンケート等を電子メールで受け取ることを示している場合に、対象参加予定者がアンケート等を電子メールで受け取ることを希望していると判断する。
【００８１】
制御部２５は、電子メールで受け取ることを希望しているとＳ１６７において判断すると、参加予定者リスト２４ｆにおいて対象参加予定者に対応付けられている「電子メールアドレス」欄の電子メールアドレス宛てに、配布資料データ２４ｃに基づいた配布資料を電子メールで送信する（Ｓ１６８）。なお、参加予定者は、電子メールで受信した配布資料を携帯機器４０の表示部４２に表示させることによって、イベントにおいて配布資料を確認することができる。
【００８２】
アンケート用意手段２５ｄは、Ｓ１６８の処理の後、参加予定者リスト２４ｆにおいて対象参加予定者に対応付けられている「電子メールアドレス」欄の電子メールアドレス宛てに、アンケートデータ２４ｄに基づいたアンケートを電子メールで送信する（Ｓ１６９）。なお、参加予定者は、電子メールで受信したアンケートを携帯機器４０の表示部４２に表示させることによって、アンケートを確認することができる。
【００８３】
なお、アンケートの電子メールが配布された参加者は、アンケートに対する回答を書き込んだ電子メールを返信することによって、回答を運営者に通知することができる。また、アンケートの電子メールが配布された参加者は、回答を専用のウェブサイトに入力することによって、回答を運営者に通知することもできる。回答を入力するための専用のウェブサイトのＵＲＬ（Ｕｎｉｆｏｒｍ  Ｒｅｓｏｕｒｃｅ  Ｌｏｃａｔｏｒ）は、アンケートの電子メールに記載されていても良い。
【００８４】
制御部２５は、参加予定者の位置情報を受信していないとＳ１６１において判断されるか、特定範囲情報２４ｅに示されている特定範囲内に対象参加予定者が入っていないとＳ１６２において判断されるか、電子メールで受け取ることを希望していないとＳ１６７において判断するか、Ｓ１６９の処理が終了すると、図９に示す動作を終了する。
【００８５】
なお、制御部２５は、図９に示す動作において、アンケート等の印刷を１回実行した参加予定者に対して、アンケート等の印刷を再度実行しない。同様に、制御部２５は、図９に示す動作において、アンケート等の電子メールによる送信を１回実行した参加予定者に対して、アンケート等の電子メールによる送信を再度実行しない。
【００８６】
次に、アンケートを回収する場合のアンケート支援システム１０の動作について説明する。
【００８７】
サーバー２０の制御部２５は、定期的に図１０に示す動作を実行する。
【００８８】
図１０は、アンケートを回収する場合のサーバー２０の動作のフローチャートである。
【００８９】
図１０に示すように、制御部２５の回答受け付け手段２５ｅは、ＭＦＰ３０のスキャナー３３によって印刷物がスキャンされたか否かを判断する（Ｓ２０１）。ここで、スキャナー３３によって印刷物がスキャンされるケースとしては、例えば、アンケートに対する回答が書き込まれたアンケートの印刷物を参加者が運営者に渡した後、運営者がスキャナー３３によってアンケートの印刷物をスキャンするケースがある。
【００９０】
回答受け付け手段２５ｅは、印刷物がスキャンされたとＳ２０１において判断すると、スキャンされた印刷物に関連付けて参加者の識別情報が入力されたか否かを判断する（Ｓ２０２）。ここで、回答受け付け手段２５ｅは、スキャンによって生成された画像から文字認識技術によって参加者の識別情報が取得された場合に、スキャンされた印刷物に関連付けて参加者の識別情報が入力されたと判断する。また、回答受け付け手段２５ｅは、スキャンされた印刷物に関連付けて参加者の識別情報が操作部２１から入力された場合も、スキャンされた印刷物に関連付けて参加者の識別情報が入力されたと判断する。
【００９１】
回答受け付け手段２５ｅは、スキャンされた印刷物に関連付けて参加者の識別情報が入力されたとＳ２０２において判断すると、スキャンされた印刷物の画像と、入力された識別情報との組み合わせを記憶部２４に記憶することによって、アンケートに対する回答を受け付ける（Ｓ２０３）。
【００９２】
回答受け付け手段２５ｅは、印刷物がスキャンされていないとＳ２０１において判断するか、スキャンされた印刷物に関連付けて参加者の識別情報が入力されていないとＳ２０２において判断すると、アンケートに対する回答がインターネット経由で送信されてきたか否かを判断する（Ｓ２０４）。ここで、回答受け付け手段２５ｅは、回答が上述したように電子メールによる返信または専用のウェブサイトへの入力によって送信されてくると、回答がインターネット経由で送信されてきたと判断する。
【００９３】
回答受け付け手段２５ｅは、アンケートに対する回答がインターネット経由で送信されてきたとＳ２０４において判断すると、送信されてきた回答と、回答とともに送信されてきた参加者の識別情報との組み合わせを記憶部２４に記憶することによって、回答を受け付ける（Ｓ２０３）。
【００９４】
回答受け付け手段２５ｅは、Ｓ２０３の処理の後、Ｓ２０３において回答を受け付けた参加者の識別情報に参加予定者リスト２４ｆにおいて対応付けられている「アンケート回収状況」欄の情報を、回収済みを示す情報にする（Ｓ２０５）。すなわち、回答受け付け手段２５ｅは、Ｓ２０３において回答を受け付けた参加者に対するアンケート回収状況を回収済みと記憶する。
【００９５】
回答受け付け手段２５ｅは、アンケートに対する回答がインターネット経由で送信されてきていないとＳ２０４において判断するか、Ｓ２０５の処理が終了すると、図１０に示す動作を終了する。
【００９６】
次に、アンケートに対する回答を催促する場合のアンケート支援システム１０の動作について説明する。
【００９７】
サーバー２０の制御部２５は、定期的に図１１に示す動作を実行する。
【００９８】
図１１は、アンケートに対する回答を催促する場合のサーバー２０の動作のフローチャートである。
【００９９】
図１１に示すように、制御部２５の催促通知送信手段２５ｆは、特定の時刻、すなわち、対象のイベントの終了時刻を経過しているか否かを判断する（Ｓ２３１）。
【０１００】
出検出手段２５ｃは、対象のイベントの終了時刻を経過しているとＳ２３１において判断されると、参加者（以下「対象参加者」と言う。）が特定範囲情報２４ｅに示されている特定範囲外に出ているか否かを、対象参加者の位置情報に基づいて判断する（Ｓ２３２）。出検出手段２５ｃは、位置情報をネットワーク通信部２３を介して受信することができない対象参加者について、特定範囲外に出ていると判断しても良い。
【０１０１】
なお、図１１に示す処理においては、参加予定者リスト２４ｆに登録されている参加予定者のうち、実際にイベントに参加したことを運営者によって参加予定者リスト２４ｆに登録された者のみが、参加者として扱われても良い。また、Ｓ１６６においてアンケートが印刷された参加予定者と、Ｓ１６９においてアンケートが送信された参加予定者とが参加者として扱われても良い。また、参加予定者リスト２４ｆに登録されている参加予定者全員が参加者として扱われても良い。
【０１０２】
催促通知送信手段２５ｆは、対象参加者が特定範囲外に出ているとＳ２３２において判断されると、特定範囲外に出ているとＳ２３２において判断された対象参加者の識別情報に参加予定者リスト２４ｆにおいて対応付けられている「アンケート回収状況」欄の情報が回収済みを示す情報であるか否かを判断する（Ｓ２３３）。
【０１０３】
催促通知送信手段２５ｆは、回収済みを示す情報ではないとＳ２３３において判断すると、回収済みを示す情報ではないとＳ２３３において判断された対象参加者に参加予定者リスト２４ｆにおいて対応付けられている「電子メールアドレス」欄の電子メールアドレス宛てに、対象のイベントのアンケートに対する回答を催促する催促通知をインターネット経由で送信する（Ｓ２３４）。ここで、催促通知送信手段２５ｆは、対象のイベントのアンケートデータ２４ｄに基づいたアンケートを催促通知に含めても良い。
【０１０４】
なお、催促通知を受信した参加者は、アンケートの印刷物を受け取っていた場合、アンケートに対する回答を書き込んだ印刷物をイベントの会場まで戻って運営者に渡すことができる。また、催促通知を受信した参加者は、回答を書き込んだ電子メールを返信するか、回答を専用のウェブサイトに入力することによって、回答を運営者に通知することもできる。回答を入力するための専用のウェブサイトのＵＲＬは、催促通知に記載されていても良い。
【０１０５】
催促通知送信手段２５ｆは、対象のイベントの終了時刻を経過していないとＳ２３１において判断するか、対象参加者が特定範囲外に出ていないとＳ２３２において判断されるか、回収済みを示す情報であるとＳ２３３において判断するか、Ｓ２３４の処理を終了すると、図１１に示す動作を終了する。
【０１０６】
以上に説明したように、アンケート支援システム１０は、特定の範囲外に出ていて（Ｓ２３２でＹＥＳ）アンケートに対する回答が受け付けられていない（Ｓ２３３でＮＯ）利用者にインターネット経由で回答を催促する（Ｓ２３４）ので、回答の回収率を向上することができる。
【０１０７】
また、アンケート支援システム１０は、特定の範囲外に出ていて（Ｓ２３２でＹＥＳ）アンケートに対する回答が受け付けられていない（Ｓ２３３でＮＯ）利用者に回答を催促する（Ｓ２３４）ので、イベントに対する参加者の記憶が鮮明なうちに、回答を回収することができる。
【０１０８】
アンケート支援システム１０は、アンケートに対する回答をインターネット経由で受け付ける（Ｓ２０４でＹＥＳおよびＳ２０３）ので、特定の範囲外に出ている参加者が特定の範囲内に戻らなくても回答を提出することが可能であり、回答の回収率を向上することができる。特に、Ｓ１６９においてアンケートが送信されておらず、アンケートの印刷物のみを受け取っていた参加者に対しては、催促通知にアンケートを含めることによって、アンケートに対する回答の回収率を向上することができる。
【０１０９】
なお、アンケート支援システム１０は、催促通知にアンケートを含めなくても良い。催促通知にアンケートが含まれていなくても、参加者は、アンケートの印刷物を受け取っていた場合には、アンケートに対する回答を書き込んだ印刷物をイベントの会場まで戻って運営者に渡すことができる。また、参加者は、Ｓ１６９において送信されたアンケートを受信していた場合には、回答を書き込んだ電子メールを返信するか、回答を専用のウェブサイトに入力することによって、回答を運営者に通知することもできる。
【０１１０】
アンケート支援システム１０は、特定の時刻、すなわち、イベントの終了時刻を経過している場合のみ（Ｓ２３１でＹＥＳ）、アンケートに対する回答を催促する（Ｓ２３４）ので、イベントの終了時刻を経過する前に一時的に特定の範囲外に出ただけの参加者に回答を催促することを防止することができる。したがって、アンケート支援システム１０は、利便性を向上することができる。
【０１１１】
なお、アンケート支援システム１０は、イベントの終了時刻を経過しているか否かの判断を実行しなくても良い。
【０１１２】
アンケート支援システム１０は、イベントの参加予定者が特定範囲内に入ったことを検出した場合（Ｓ１６２でＹＥＳ）に、この参加予定者に対応付けて登録されている印刷設定で、アンケート等を印刷する（Ｓ１６５およびＳ１６６）ので、参加予定者が特定範囲内に入った場合にアンケート等を印刷するときに、例えば印字の大きさや色などの点で参加予定者に適した印刷物を提供することができる。
【０１１３】
アンケート支援システム１０は、イベントの参加予定者が特定範囲内に入ったことを検出した場合（Ｓ１６２でＹＥＳ）に、アンケート等を印刷する（Ｓ１６５およびＳ１６６）ので、参加予定者が実際にはイベントに参加しなかったときに、この参加予定者分のアンケート等を印刷することを抑えることができる。すなわち、アンケート支援システム１０は、アンケート等の印刷物の不必要な生成を抑えることができる。したがって、アンケート支援システム１０は、紙によるアンケート等を希望した参加予定者全員分のアンケート等を事前に印刷して準備しておく構成と比較して、紙の無駄な消費を抑えることができる。
【０１１４】
また、アンケート支援システム１０は、参加予定者が紙によるアンケート等を必要としない場合（Ｓ１６３でＮＯ）に、紙によるアンケート等を配布しないので、参加予定者全員に紙によるアンケート等を配布する構成と比較して、紙の無駄な消費を抑えることができる。
【０１１５】
アンケート支援システム１０は、イベントの参加予定者が特定範囲内に入ったことを検出した場合（Ｓ１６２でＹＥＳ）に、アンケート等を印刷する（Ｓ１６５およびＳ１６６）ので、参加予定者が会場に到着する順番とほぼ同じ順番でアンケート等を印刷する。したがって、イベントの運営者は、会場に到着した参加予定者にアンケート等の印刷物を配布する場合に、ＭＦＰ３０によって生成された多数の印刷物の中から、参加予定者用の印刷物を容易に探し出すことができる。
【０１１６】
アンケート支援システム１０は、参加予定者が参加する予定のイベント（以下「対象イベント」と言う。）の直前のイベントによる会場の使用時間の終了後に（Ｓ１６４でＹＥＳ）、アンケート等をＭＦＰ３０に印刷させる（Ｓ１６５およびＳ１６６）ので、対象イベント用の印刷物が、対象イベントの直前のイベントによる会場の使用時間以前に印刷されることを防止することができる。したがって、アンケート支援システム１０は、印刷物が不適切な参加予定者に誤って配布される可能性を抑えることができ、結果として、印刷物を適切な参加予定者に配布することができる。
【０１１７】
なお、アンケート支援システム１０は、アンケート等に適用可能な印刷設定として、本実施の形態において例示した印刷設定以外の印刷設定が指定されても良い。
【０１１８】
アンケート支援システム１０は、本実施の形態においてアンケート等を電子メールで送信するが、アンケート等を電子メール以外の電子的なデータで送信しても良い。
【０１１９】
以上においては、イベントについて説明しているが、アンケート支援システム１０は、参加者に文書を配布する催しであれば、例えば、会議やセミナーなど、イベント以外の催しにも適用可能である。
【０１２０】
アンケート支援システム１０は、携帯機器４０からの位置情報をＭＦＰ３０を介してサーバー２０が取得しているが、携帯機器４０からの位置情報をサーバー２０が直接取得しても良い。
【０１２１】
アンケート支援システム１０は、参加予定者の位置情報をＧＰＳによって検出しているが、ＧＰＳ以外の任意の方法によって参加予定者の位置情報を検出しても良い。
【０１２２】
アンケート支援システム１０は、サーバー２０の機能の少なくとも一部をＭＦＰ３０が実行しても良い。例えば、アンケート支援システム１０は、サーバー２０の機能の全部をＭＦＰ３０が実行して、サーバー２０自体を備えていなくても良い。
【０１２３】
また、アンケート支援システム１０は、本実施の形態において、画像形成装置としてＭＦＰを備えているが、プリンター専用機など、ＭＦＰ以外の画像形成装置を備えても良い。
【符号の説明】
【０１２４】
１０  アンケート支援システム
１１  インターネット
２０  サーバー（コンピューター）
２４ａ  アンケート支援プログラム
２５ａ  利用者登録手段
２５ｂ  入検出手段
２５ｃ  出検出手段
２５ｄ  アンケート用意手段
２５ｅ  回答受け付け手段
２５ｆ  催促通知送信手段
３４  プリンター（印刷デバイス）
【図１】
2016045904.tif 000003
【図２】
2016045904.tif 000004
【図３】
2016045904.tif 000005
【図４】
2016045904.tif 000006
【図５】
2016045904.tif 000007
【図６】
2016045904.tif 000008
【図７】
2016045904.tif 000009
【図８】
2016045904.tif 000010
【図９】
2016045904.tif 000011
【図１０】
2016045904.tif 000012
【図１１】
2016045904.tif 000013